(57)【特許請求の範囲】
【請求項１】
携帯端末装置から記念日に応じたプレゼント商品の発注処理を行う記念日自動対応システムであって、
ＥＣサイトサーバと、携帯端末装置からの発注情報をＥＣサイトサーバへ送信するサービス提供サーバを含み、
前記携帯端末装置が、
記念日名及び記念日を含む個人情報を格納する個人情報格納手段と、
前記個人情報で示される相手毎に予め設定した、記念日に贈るプレゼント商品名及び所定のメッセージを格納する記念日情報格納手段と、
現在日時から遡った所定日時の範囲内にある記念日を含む個人情報に関する情報を報知情報として表示する報知手段と
プレゼント商品の発注処理を行う発注制御手段とを含み、
報知手段が、現在日時から遡った所定日時の範囲内に記念日がある場合に、当該記念日を含む個人情報について前記報知情報を表示し、
前記発注制御手段が、前記報知情報が選択操作された場合に、前記報知情報が示す前記個人情報に含まれる前記記念日に対応して登録されている前記プレゼント商品の発注情報を前記サービス提供サーバに送信し、
前記サービス提供サーバが、前記発注情報を前記ＥＣサイトサーバへ送信することを特徴とする記念日自動対応システム。
【請求項２】
前記ＥＣサイトサーバが、前記発注情報に基づく決済用メールを前記携帯端末装置へ送信することを特徴とすることを特徴とする請求項１に記載の記念日自動対応システム。
【請求項３】
前記個人情報が、メールアドレスを含み、
前記携帯端末装置が自動的にメールを生成して送信するメール手段を含み、
前記メール手段が、現在日時と一致する記念日がある場合に、前記記念日に対応して予め登録した所定のメッセージを前記記念日が登録されている個人情報のメールアドレスへ自動送信することを特徴とする請求項１又は請求項２に記載の記念日自動対応システム。
【請求項４】
前記発注制御手段は、
前記報知情報が選択された場合に、前記発注情報を入力するための入力フォーマットを表示し、
前記報知情報と関連する個人情報を前記個人情報格納手段から取得し、前記個人情報に登録されている記念日に対応したプレゼント商品名を前記記念日情報格納手段から取得し、
取得した前記個人情報及び前記プレゼント商品名を前記入力フォーマットに表示することを特徴とする請求項１から請求項３の何れかに記載の記念日自動対応システム。
【請求項５】
前記携帯端末装置の利用者の個人情報が登録されている場合に、前記入力フォーマットに前記利用者の前記個人情報を表示することを特徴とする請求項４に記載の記念日自動対応システム。
【請求項６】
前記サービス提供サーバが前記利用者の前記個人情報を保持している場合に、前記発注情報に前記利用者の前記個人情報を付加してＥＣサイトサーバに送信することを特徴とする請求項１から請求項５の何れかに記載の記念日自動対応システム。
【請求項７】
前記個人情報格納手段が、前記携帯端末装置の利用者との関係を示す属性を含み、前記属性に基づいて自動的に前記記念日名及び前記記念日を登録することを特徴とする請求項１から請求項６の何れかに記載の記念日自動対応システム。
【請求項８】
前記ＥＣサイトサーバが、
前記サービス提供サーバから受信した前記発注情報に含まれる前記プレゼント商品名に該当する商品の一覧情報を閲覧できるｗｅｂページへのＵＲＬを貼り付けた決済用メールを前記形態端末装置へ送信することを特徴とする請求項１から請求項７の何れかに記載の記念日自動対応システム。
【請求項９】
複数のＥＣサイトサーバを備え、
前記サービス提供サーバが、前記発注情報に含まれる前記プレゼント商品名に基づいて、適切なＥＣサイトサーバへ前記発注情報を送信することを特徴とする請求項１から請求項８の何れかに記載の記念日自動対応システム。
【請求項１０】
携帯端末装置から記念日に応じたプレゼント商品の発注処理を行う記念日自動対応システムの記念日自動対応方法であって、
前記携帯端末装置が、
記念日名及び記念日を含む個人情報を個人情報格納手段に格納し、前記個人情報で示される相手毎に予め設定した、記念日に贈るプレゼント商品名及び所定のメッセージを記念日情報格納手段に格納し、
現在日時から遡った所定日時の範囲内に記念日がある場合に、当該記念日を含む個人情報に関する情報を報知情報として表示し、
前記報知情報が選択操作された場合に、前記報知情報が示す前記個人情報に含まれる前記記念日に対応して登録されている前記プレゼント商品の発注情報を、前記システムに含まれるサービス提供サーバに送信し、
前記サービス提供サーバが、前記発注情報を前記システムに含まれるＥＣサイトサーバへ送信することを特徴とする記念日自動対応方法。
【請求項１１】
前記ＥＣサイトサーバが、前記発注情報に基づく決済用メールを前記携帯端末装置へ送信することを特徴とすることを特徴とする請求項１０に記載の記念日自動対応方法。
【請求項１２】
前記個人情報に、メールアドレスを含み、
前記携帯端末装置が、現在日時と一致する記念日がある場合に、前記記念日に対応して予め登録した所定のメッセージを前記記念日が登録されている個人情報のメールアドレスへ自動送信することを特徴とする請求項１０又は請求項１１に記載の記念日自動対応方法。
【請求項１３】
前記携帯端末装置が、
前記報知情報が選択された場合に、前記発注情報を入力するための入力フォーマットを表示し、
前記報知情報と関連する個人情報を前記個人情報格納手段から取得し、前記個人情報に登録されている記念日に対応したプレゼント商品名を前記記念日情報格納手段から取得し、
取得した前記個人情報及び前記プレゼント商品名を前記入力フォーマットに表示することを特徴とする請求項１０から請求項１２の何れかに記載の記念日自動対応方法。
【請求項１４】
前記携帯端末装置の利用者の個人情報が登録されている場合に、前記入力フォーマットに前記利用者の前記個人情報を表示することを特徴とする請求項１３に記載の記念日自動対応方法。
【請求項１５】
前記サービス提供サーバが前記利用者の前記個人情報を保持している場合に、前記発注情報に前記利用者の前記個人情報を付加してＥＣサイトサーバに送信することを特徴とする請求項１０から請求項１４の何れかに記載の記念日自動対応方法。
【請求項１６】
前記個人情報格納手段に、前記携帯端末装置の利用者との関係を示す属性を含み、前記属性に基づいて自動的に前記記念日名及び前記記念日を登録することを特徴とする請求項１０から請求項１５の何れかに記載の記念日自動対応方法。
【請求項１７】
前記ＥＣサイトサーバが、
前記サービス提供サーバから受信した前記発注情報に含まれる前記プレゼント商品名に該当する商品の一覧情報を閲覧できるｗｅｂページへのＵＲＬを貼り付けた決済用メールを前記形態端末装置へ送信することを特徴とする請求項１０から請求項１６の何れかに記載の記念日自動対応方法。
【請求項１８】
複数のＥＣサイトサーバを備え、
前記サービス提供サーバが、前記発注情報に含まれる前記プレゼント商品名に基づいて、適切なＥＣサイトサーバへ前記発注情報を送信することを特徴とする請求項１０から請求項１７の何れかに記載の記念日自動対応方法。
【請求項１９】
携帯端末装置から記念日に応じたプレゼント商品の発注処理を行う記念日自動対応システムの携帯端末装置であって、
記念日名及び記念日を含む個人情報を格納する個人情報格納手段と、
前記個人情報で示される相手毎に予め設定した、記念日に贈るプレゼント商品名及び所定のメッセージを格納する記念日情報格納手段と、
現在日時から遡った所定日時の範囲内にある記念日を含む個人情報に関する情報を報知情報として表示する報知手段と、
プレゼント商品の発注処理を行う発注制御手段とを含み、
報知手段が、現在日時から遡った所定日時の範囲内に記念日がある場合に、当該記念日を含む個人情報について前記報知情報を表示し、
前記発注制御手段が、前記報知情報が選択操作された場合に、前記報知情報が示す前記個人情報に含まれる前記記念日に対応して登録されている前記プレゼント商品の発注情報を、ＥＣサイトサーバに対して商品の発注を行うサービス提供サーバへ送信することを特徴とする携帯端末装置。
【請求項２０】
前記個人情報が、メールアドレスを含み、
前記携帯端末装置が自動的にメールを生成して送信するメール手段を含み、
前記メール手段が、現在日時と一致する記念日がある場合に、前記記念日に対応して予め登録した所定のメッセージを前記記念日が登録されている個人情報のメールアドレスへ自動送信することを特徴とする請求項１９に記載の携帯端末装置。
【請求項２１】
前記発注制御手段は、
前記報知情報が選択された場合に、前記発注情報を入力するための入力フォーマットを表示し、
前記報知情報と関連する個人情報を前記個人情報格納手段から取得し、前記個人情報に登録されている記念日に対応したプレゼント商品名を前記記念日情報格納手段から取得し、
取得した前記個人情報及び前記プレゼント商品名を前記入力フォーマットに表示することを特徴とする請求項１９又は請求項２０に記載の携帯端末装置。
【請求項２２】
前記携帯端末装置の利用者の個人情報が登録されている場合に、前記入力フォーマットに前記利用者の前記個人情報を表示することを特徴とする請求項２１に記載の携帯端末装置。
【請求項２３】
前記個人情報格納手段が、前記携帯端末装置の利用者との関係を示す属性を含み、前記属性に基づいて自動的に前記記念日名及び前記記念日を登録することを特徴とする請求項１９から請求項２２の何れかに記載の携帯端末装置。
【請求項２４】
携帯端末装置から記念日に応じたプレゼント商品の発注処理を行う記念日自動対応システムの携帯端末装置に、
記念日名及び記念日を含む個人情報を個人情報格納手段に格納し、前記個人情報で示される相手毎に予め設定した、記念日に贈るプレゼント商品名及び所定のメッセージを記念日情報格納手段に格納する処理と、
現在日時から遡った所定日時の範囲内に記念日がある場合に、当該記念日を含む個人情報に関する情報を報知情報として表示する処理と、
前記報知情報が選択操作された場合に、前記報知情報が示す前記個人情報に含まれる前記記念日に対応して登録されている前記プレゼント商品の発注情報を、ＥＣサイトサーバに対して商品の発注を行うサービス提供サーバへ送信する処理と、を実行させることを特徴とするプログラム。
【請求項２５】
前記個人情報が、メールアドレスを含み、
前記携帯端末装置に、
現在日時と一致する記念日がある場合に、前記記念日に対応して予め登録した所定のメッセージを前記記念日が登録されている個人情報のメールアドレスへ自動送信する処理を実行させることを特徴とする請求項２４に記載のプログラム。
【請求項２６】
前記携帯端末装置に、
前記報知情報が選択された場合に、前記発注情報を入力するための入力フォーマットを表示し、
前記報知情報と関連する個人情報を前記個人情報格納手段から取得し、前記個人情報に登録されている記念日に対応したプレゼント商品名を前記記念日情報格納手段から取得し、
取得した前記個人情報及び前記プレゼント商品名を前記入力フォーマットに表示する処理を実行させることを特徴とする請求項２４又は請求項２５に記載のプログラム。
【請求項２７】
前記携帯端末装置の利用者の個人情報が登録されている場合に、前記入力フォーマットに前記利用者の前記個人情報を表示する処理を、前記携帯端末装置に実行させることを特徴とする請求項２６に記載のプログラム。
【請求項２８】
前記個人情報格納手段が、前記携帯端末装置の利用者との関係を示す属性を含み、前記属性に基づいて自動的に前記記念日名及び前記記念日を登録することを特徴とする請求項２４から請求項２７の何れかに記載のプログラム。
【発明の詳細な説明】
【技術分野】
【０００１】
本発明は、携帯電話等の携帯端末装置に関し、特に予め登録した記念日に応じて記念日の報知、自動メール送信、プレゼント商品の発注処理を可能とした記念日自動対応システム、携帯端末装置、記念日自動対応方法、及び記念日自動対応プログラムに関する。
【背景技術】
【０００２】
これまで、友人や家族等へのお祝いメールやプレゼントの贈答は、誕生日や結婚記念日、父の日等の記念日を記憶或いは記録しておき、その都度記憶を思い出したり記録を参照したりすることにより記念日を確認し、お祝い等のメッセージのメール送信やプレゼントの贈答を行っていた。
【０００３】
しかし、記憶を思い出したり記録を参照したりする方法では、記念日を忘れてしまい、お祝いや感謝のメッセージのメール送信を忘れたり、プレゼントを送り忘れたりしてしまう可能性があるという問題があった。
【０００４】
この問題を解決するため、特許文献１に開示されるようなイベント報知方法が関連技術として提案されている。特許文献１に開示の技術では、電話帳にイベントを登録しておき、現在日時がイベントの報知期間である場合、イベントを放置するためのアイコンを継続して表示すると共に、当該アイコンが選択された場合に、当該アイコンに紐付くイベントに関する情報を表示することを可能としている。
【０００５】
しかし、特許文献１に開示の技術よれば、イベントの報知は可能となるが、忙しい場合等はメールの送信やプレゼントの贈答をつい忘れてしまうこともあるという問題があった。
【０００６】
この問題を解決するため、特許文献２〜４に開示されるようなメッセージ等の自動送信方法が関連技術として提案されている。
【０００７】
特許文献２に開示の技術では、記念日等に関する情報を予めサーバに保存しておき、その記念日になると端末側にそれまでに保存していた情報を自動的に配信することを可能にしている。
【０００８】
特許文献３に開示の技術では、電話機の電話帳テーブルに記念日とメール作成時の定型分等を記録しておき、記録された記念日情報に基づいて、表示部に記念日表示を行い、利用者が発進又は送信操作を行うと、記念日表示にリンクした電話帳の相手先に自動的に発信又はメール送信を行うことを可能としている。
【先行技術文献】
【特許文献】
【０００９】
【特許文献１】特開２００７−２８１７３８号公報
【特許文献２】特開２００２−０３２３１０号公報
【特許文献３】特開２００２−２１８０４２号公報
【特許文献４】特開２００４−０３２０５６号公報
【発明の概要】
【発明が解決しようとする課題】
【００１０】
しかし、特許文献２や特許文献３に開示の技術では、自動的なメール送信は可能であっても、プレゼント商品の贈答については特許文献１同様、忘れてしまう可能性あるという問題があった。特にプレゼント商品の贈答については、商品を選択し、購入し、発送するという手続が必要となるため、単にイベントを報知されただけでは、忙しい場合等はプレゼント商品の贈答のための手続が煩わしく当該手続を後回しにしてそのまま忘れてしまう可能性があるという問題もあった。
【００１１】
（発明の目的）
本発明の目的は、上述したプレゼント商品の送り忘れの可能性を軽減するとともに共にプレゼント商品の贈答に係る手続き上の煩わしさを軽減することを可能にする記念日自動対応システム、携帯端末装置、記念日自動対応方法、及び記念日自動対応プログラムを提供することである。
【課題を解決するための手段】
【００１２】
本発明の第１の記念日自動対応システムは、携帯端末装置から記念日に応じたプレゼント商品の発注処理を行う記念日自動対応システムであって、ＥＣサイトサーバと、携帯端末装置からの発注情報をＥＣサイトサーバへ送信するサービス提供サーバを含み、携帯端末装置が、記念日名及び記念日を含む個人情報を格納する個人情報格納手段と、個人情報で示される相手毎に予め設定した、記念日に贈るプレゼント商品名及び所定のメッセージを格納する記念日情報格納手段と、現在日時から遡った所定日時の範囲内にある記念日を含む個人情報に関する情報を報知情報として表示する報知手段とプレゼント商品の発注処理を行う発注制御手段とを含み、報知手段が、現在日時から遡った所定日時の範囲内に記念日がある場合に、当該記念日を含む個人情報について報知情報を表示し、発注制御手段が、報知情報が選択操作された場合に、報知情報が示す個人情報に含まれる記念日に対応して登録されているプレゼント商品の発注情報をサービス提供サーバに送信し、サービス提供サーバが、発注情報をＥＣサイトサーバへ送信する。
【００１３】
本発明の第１の記念日自動対応方法は、携帯端末装置から記念日に応じたプレゼント商品の発注処理を行う記念日自動対応システムの記念日自動対応方法であって、携帯端末装置が、記念日名及び記念日を含む個人情報を個人情報格納手段に格納し、個人情報で示される相手毎に予め設定した、記念日に贈るプレゼント商品名及び所定のメッセージを記念日情報格納手段に格納し、現在日時から遡った所定日時の範囲内に記念日がある場合に、当該記念日を含む個人情報に関する情報を報知情報として表示し、報知情報が選択操作された場合に、報知情報が示す個人情報に含まれる記念日に対応して登録されているプレゼント商品の発注情報を、システムに含まれるサービス提供サーバに送信し、サービス提供サーバが、発注情報をシステムに含まれるＥＣサイトサーバへ送信する。
【００１４】
本発明の第１の携帯端末装置は、携帯端末装置から記念日に応じたプレゼント商品の発注処理を行う記念日自動対応システムの携帯端末装置であって、記念日名及び記念日を含む個人情報を格納する個人情報格納手段と、個人情報で示される相手毎に予め設定した、記念日に贈るプレゼント商品名及び所定のメッセージを格納する記念日情報格納手段と、現在日時から遡った所定日時の範囲内にある記念日を含む個人情報に関する情報を報知情報として表示する報知手段とプレゼント商品の発注処理を行う発注制御手段とを含み、報知手段が、現在日時から遡った所定日時の範囲内に記念日がある場合に、当該記念日を含む個人情報について報知情報を表示し、発注制御手段が、報知情報が選択操作された場合に、報知情報が示す個人情報に含まれる記念日に対応して登録されているプレゼント商品の発注情報を、ＥＣサイトサーバに対して商品の発注を行うサービス提供サーバへ送信する。
【００１５】
本発明の第１のプログラムは、携帯端末装置から記念日に応じたプレゼント商品の発注処理を行う記念日自動対応システムの携帯端末装置に、記念日名及び記念日を含む個人情報を個人情報格納手段に格納し、個人情報で示される相手毎に予め設定した、記念日に贈るプレゼント商品名及び所定のメッセージを記念日情報格納手段に格納する処理と、現在日時から遡った所定日時の範囲内に記念日がある場合に、当該記念日を含む個人情報に関する情報を報知情報として表示する処理と、報知情報が選択操作された場合に、報知情報が示す個人情報に含まれる記念日に対応して登録されているプレゼント商品の発注情報を、ＥＣサイトサーバに対して商品の発注を行うサービス提供サーバへ送信する処理と、を実行させる。
【発明の効果】
【００１６】
本発明によれば、イベントの報知とプレゼント商品の発注処理が連動することにより、プレゼント商品の送り忘れを軽減すると共に、プレゼント商品の贈答に係る手続き上の煩わしさを軽減することができる。
【図面の簡単な説明】
【００１７】
【図１】本発明の第１の実施の形態による記念日自動対応システムの構成を示すブロック図である。
【図２】第１の実施の形態による携帯端末装置の構成を示すブロック図である。
【図３】第１の実施の形態による電話帳テーブルの構成例を示す図である。
【図４】第１の実施の形態による記念日情報格納テーブルの構成例を示す図である。
【図５】第１の実施の形態による携帯端末装置の自動メール送信及びイベント報知の動作を示す流れ図である。
【図６】第１の実施の形態による携帯端末装置の発注処理の動作を示す流れ図である。
【図７】第１の実施の形態による記念日自動対応システムの動作を示すシーケンス図である。
【図８】本発明の第２の実施の形態による記念日自動対応システムの構成を示すブロック図である。
【発明を実施するための形態】
【００１８】
次に、本発明の実施の形態について、図面を参照して詳細に説明する。
【００１９】
（第１の実施の形態）
図１は、本発明の第１の実施の形態による記念日自動対応システム１００の構成を示すブロック図であり、図２は、本実施の形態による携帯端末装置１０の構成を示すブロック図である。
【００２０】
図１を参照すると、本実施の形態の記念日自動対応システム１００は、携帯端末装置１０と、電子商取引を行うＥＣ（Ｅｅｌｅｃｔｒｏｎｉｃ  ｃｏｍｍｅｒｃｅ）サイトサーバ群３０と、携帯端末装置１０からの注文情報をＥＣサイトサーバ群３０へ提供するサービス提供サーバ２０とを備え、それぞれがインターネット４０を介して通信可能な状態になっている。
【００２１】
図２を参照すると、携帯端末装置１０は、図示しない無線基地局装置との間で無線により情報の送受を行う無線通信部１１０と、情報を表示する表示部１２０と、利用者の情報入力等に用いられる操作部１３０と、情報を格納する記憶部１４０と、日時を計時する計時部１６０と、上述の各部及び携帯端末装置１０上の各種機能等を制御する制御部１５０とを備える。
【００２２】
携帯端末装置１０としては、例えば、携帯電話機、ＰＤＡ（Ｐｅｒｓｏｎａｌ  Ｄａｔａ  Ａｓｓｉｓｔａｎｃｅ）等の携帯可能な端末装置を含む。
【００２３】
無線通信部１１０は、通話の発着呼やメールの送受信を制御する機能を有する。
【００２４】
表示部１２０は、携帯端末装置１０に格納されている情報を表示する機能を有する。
【００２５】
操作部１３０は、携帯端末装置１０に格納されているデータの呼び出しや、電話帳部１３０に個人情報を登録する等、携帯端末装置１０の操作を制御する機能を有する。
【００２６】
記憶部１４０は、個人情報格納手段である電話帳テーブル１４１と、記念日に対応するメッセージを格納する記念日情報格納テーブル１４２とを格納する機能を有する。
【００２７】
電話帳テーブル１４１は、少なくとも電話番号、氏名、住所、メールアドレス、属性、記念日名及び記念日を含む個人情報を登録し、保持する機能を有する。属性とは、携帯端末装置１０の利用者との関係を示すものである。ここで、電話帳テーブル１４１の構成例を図３に示す。上述したように、当該個人情報はこれに限定されず、自由に情報を増やすことが可能である。
【００２８】
なお、図３において、父の日や母の日等、属性から必然的に導き出される記念日が登録されているが、属性から必然的に導きだされる記念日（父の日、母の日、敬老の日、こどもの日等）については、属性を入力した時点で自動的に記念日名及び記念日が登録されることを想定している。ただしこれに限定はされない。
【００２９】
記念日情報格納テーブル１４２は、記念日毎に、メール送信の際のメッセージと、プレゼント商品を格納する機能を有する。記念日情報格納テーブル１４２の構成例を図４に示す。
【００３０】
計時部１６０は、日時を計時する機能を有する。
【００３１】
制御部１４０は、現在日時を取得する日時取得手段１５１と、現在日時と記念日とを比較する比較手段１５２と、メールの自動生成及び自動送信を行う自動メール手段１５３と、表示制御手段１５４と、プレゼント商品の発注を行う発注制御手段１５５と、記念日の報知を行う報知手段１５６とを含む。
【００３２】
日時取得手段１５１は、計時部１６０から現在日時を取得する機能を有する。
【００３３】
比較手段１５２は、日時取得手段１５１が取得した現在と、電話帳テーブルに格納されている各記念日とを比較し、各記念日が現在日時から所定日時内であるかどうかを判定する機能を有する。
【００３４】
自動メール手段１５３は、電話帳テーブル１４１と、記念日情報格納テーブル１４２との情報に基づき、自動的にメールを生成し、自動送信する機能を有する。
【００３５】
具体的には、自動メール手段１５３は、電話帳テーブル１４１から、メールを行う人物のメールアドレスと記念日名を取得し、当該記念日名に対応するメッセージを記念日情報格納テーブルから取得して、メールを生成し、自動送信する。ただし、自動メール手段１５３は、メール送信対象となる当該記念日に対してすでにメールの送信がされている場合は、上記処理を行わない。
【００３６】
報知手段１５６は、発注対象となる記念日に紐付く個人情報と、発注対象となる記念日を報知するためのアイコン（画像情報）を関連付け、表示制御手段１５４に当該アイコンの表示部１２０への表示を要求する機能を有する。アイコンは、例えば誕生日であれば誕生日ケーキ、母の日であればカーネーション等記念日の種類に応じてと予め設定されている。なお、報知手段１５６は、発注対象となる記念日に対する発注処理がすでに行われている場合が、上記処理は行わない。
【００３７】
発注制御手段１５５は、当該アイコンが押下されると、記念商品の発注情報を入力するための入力フォーマットを表示する機能を有する。
【００３８】
当該入力フォーマットには、宛先住所、氏名、電話番号及びプレゼント商品名を入力する欄がある。宛先住所、氏名、電話番号は、当該アイコンに関連付けされた個人情報が電話帳テーブル１４１から取得されて入力されている。また、プレゼント商品は、記念日情報格納テーブル１４２から所得されて入力されている。なお、差出人氏名、住所、電話番号については、サービス提供サーバ２０が携帯端末装置１０に紐付く個人情報保持している場合は、発注情報に当該個人情報を付加してＥＣサイトサーバ３０へ送信してもよいし、携帯情報通信端末装置１０に利用者の個人情報が登録されていれば当該個人情報から取得して入力されていてもよい。上記全ての情報については、当然手動で入力することも可能である。
【００３９】
また、発注制御手段１５５は、利用者が発注情報の入力を完成させて発注処理を行うと、無線通信部１１０を介して当該発注情報をサービス提供サーバ２０へ送信する機能を有する。
【００４０】
表示制御手段１５４は、報知手段１５６の要求により当該アイコンを表示部１２０に表示させる機能を有する。
【００４１】
サービス提供サーバ２０は、携帯端末装置１０から送信された発注情報をＥＣサイトサーバ３０へ送信する機能を含む。サービス提供サーバ２０において携帯端末装置１０の利用者の個人情報（住所、氏名、電話番号）が登録されている場合は、当該発注情報に差出人住所、氏名、電話番号が含まれていない場合は当該個人情報を差出人として付加してＥＣサイトサーバ３０へ送信しても良い。
【００４２】
ＥＣサイトサーバは、商品やサービスをインターネット上で販売しているサイトのサーバを意味する。ＥＣサイトサーバについては、本発明の技術分野における当業者にとってよく知られており、方式そのものは本発明とは直接的には関係しないため、その詳細については省略する。
【００４３】
（第１の実施の形態の動作の説明）
次に、図面を参照して、本実施の形態の動作について詳細に説明する。
【００４４】
（携帯端末装置１０の説明）
まず、本実施の形態による携帯端末装置１０の動作について、図５、図６を参照して詳細に説明する。図５は、本実施の形態による携帯端末装置１０の記念日メッセージの自動メール送信及びイベントを報知するためのアイコン表示の動作を示す流れ図である。
【００４５】
図５を参照すると、まず、日時取得手段１５１が、計時部１６０から現在日時を取得する（ステップＳ５０１）。なお、現在日時の取得は記念日との比較のためであるため、１日１度程度を想定しているが、これに限定されるものではない。
【００４６】
次いで、比較手段１５２が、日時取得手段１５１が取得した現在日時と、電話帳テーブル１４１に格納されている各記念日を順に比較する（ステップＳ５０２）。
【００４７】
比較の結果、記念日が現在日時から所定日時内である場合（ステップＳ５０３”ＹＥＳ”）、比較手段１５２は、当該記念日が現在日時と一致するか比較する（ステップＳ５０４）。なお、上述の所定日時は、例えば現在日時から１週間以内等と任意に設定可能である。
【００４８】
記念日と現在日時と一致する場合（ステップＳ５０４”ＹＥＳ”）、自動メール手段１５３が、当該記念日に対するメール送信が既に行われているか確認し（ステップＳ５０５）、当該メール送信がまだ行われていない場合は（ステップＳ５０５”ＮＯ”）、電話帳テーブル１４１から、現在日時と一致した当該記念日に紐付く個人情報（メールアドレス）を参照し、記念日情報取得テーブル１４２から、当該記念日に対応するメッセージを取得し、当該メールアドレス及びメッセージからメールを自動生成し、送信する（ステップＳ５０６）。
【００４９】
記念日と現在日時と一致しない場合（ステップＳ５０４”ＮＯ”）、報知手段１５６が、発注対象となる記念日に対する発注処理が既に行われているか確認し（ステップＳ５０７）、当該発注処理がまだ行われていない場合は（ステップＳ５０７”ＮＯ”）、発注対象となる記念日に紐付く個人情報と、発注対象となる記念日に対応するアイコン（画像情報）を関連付け、表示制御手段１５４に当該アイコンの表示部１２０への表示を要求し、当該要求を受けた表示制御手段１５４が、当該アイコンを表示部１２０へ表示する（ステップＳ５０６）。なお、既に同一対象に対するアイコンが既に表示されている場合は、当該表示は行わなくても良い。また、アイコンは、発注処理が行われた後、又は、記念日を過ぎると削除される。
【００５０】
メール送信（ステップＳ５０６）またはアイコン表示（ステップＳ５０８）の後、比較手段１５２が、すべての記念日情報について現在日時情報と比較を行ったか確認し、まだ比較していない記念日情報がある場合は（ステップＳ５０９”ＮＯ”）、ステップＳ５０２に戻り、すべての記念日情報について現在日時情報と比較済みの場合は（ステップＳ５０９”ＹＥＳ”）、処理を終了する。
【００５１】
（商品注文の動作の説明）
次に、本実施の形態による記念日自動対応システム１００の商品注文の動作について、図６、図７を参照して詳細に説明する。図６は、本実施の形態による携帯端末装置１０の発注処理の動作を示す流れ図であり、図７は、携帯端末装置１０の発注情報送信後の動作の流れを示すシーケンス図である。
【００５２】
まず、携帯端末装置１０が発注情報をサービス提供サーバ２０へ送信するまでの動作について、図６を参照して説明する。
【００５３】
携帯端末装置１０では、図５のステップＳ５０８で携帯端末装置１０の表示部１２０に表示されたアイコンに対し、利用者が当該アイコンを押下し操作を行った場合、発注処理が開始される。
【００５４】
まず、アイコンが押下されると、発注制御手段１５５が、当該アイコンに対応する記念商品の発注情報を入力するための入力フォーマットを表示する（ステップＳ６０１）。
【００５５】
次いで、利用者が発注情報の入力を完成させて発注処理を行うと、発注制御手段１５５が、無線通信部１１０を介して当該発注情報をサービス提供サーバ２０へ送信する（ステップＳ６０２）。
【００５６】
次に、携帯端末装置１０が発注情報をサービス提供サーバ２０へ送信した後の動作について、図７を参照して説明する。
【００５７】
携帯端末装置１０からサービス提供サーバ２０へ発注情報が送信されると（ステップＳ７０１）、サービス提供サーバ２０は、当該発注情報をＥＣサイトサーバに送信する（ステップＳ７０２）。なお、サービス提供サーバ２０が送信する発注情報を、ステップＳ７０１の発注情報と区別するため以下注文情報と称す。
【００５８】
注文情報を受け取ったＥＣサイトサーバ３０は、注文情報に含まれる商品情報に該当する商品の一覧情報を閲覧できるｗｅｂページへのＵＲＬを貼り付けたメール（以下、決済用メール）を生成し、当該決済用メールを形態通信端末装置１０へ送信する（ステップＳ７０３）。
【００５９】
携帯端末装置１０が決済用メールを受け取った後、利用者が決済用メールに貼り付けられたＵＲＬへアクセスして商品を選択し決済処理を行うと（ステップＳ７０４）、ＥＣサイトサーバ３０は、注文情報に含まれる宛先住所等及び差出人住所等に基づき、当該商品の発送処理を行う。
【００６０】
（第１の実施の形態による効果）
次に本実施の形態の効果について説明する。
【００６１】
第１の効果は、本実施の形態によれば、プレゼント商品の送り忘れをなくすと共に、プレゼント商品の贈答に係る手続き上の煩わしさを軽減することができる。
【００６２】
その理由は、記念日の報知とプレゼント商品の発注処理が連動し、また、アイコンを押下し最低限の情報を入力するのみでプレゼント商品の発注処理がされるからである。
【００６３】
第２の効果は、本実施の形態によれば、お祝いメッセージ等のメールの送信忘れをなくすことがきる。
【００６４】
その理由は、記念日と現在日時が一致すると自動的に対象者へ向けてメール送信が行われるからである。
【００６５】
（第２の実施の形態）
次に、本発明の第２の実施の形態を図８を参照して詳細に説明する。
【００６６】
図８は、本発明の第２の実施の形態による記念日自動対応システム１００の構成を示すブロック図である。第１の実施の形態ではＥＣサイトサーバは１つであったが、本実施の形態では複数となる構成である。
【００６７】
ＥＣサイトサーバ群５０は、複数のＥＣサイトサーバ（ＥＣサイトサーバ５０−１〜５０−ｎ）からなる。ここで、ｎはＥＣサイトサーバの数を示しており、任意の自然数である。
サービス提供サーバ２０は、携帯端末装置１０から送信される発注情報のプレゼント商品名に応じて、適切なＥＣサイトサーバ５０−ｎへ当該発注情報を注文情報として送信する機能を有する。なお、サービス提供サーバ２０は、当該機能以外については、第１の実施の形態と同様である。
形態端末１０の構成及び動作は、第１の実施の形態と同様であるため詳細は省略する。
【００６８】
（第２の実施の形態による効果）
次に本実施の形態の効果について説明する。
【００６９】
本実施の形態によれば、多様なプレゼント商品に対応することが可能となる。
【００７０】
その理由は、サービス提供サーバ２０が複数のＥＣサイトサーバから発注情報に記載のプレゼント商品に対応する適切なＥＣサイトサーバを選択するからである。
【００７１】
以上好ましい実施の形態をあげて本発明を説明したが、本発明は必ずしも、上記実施の形態に限定されるものでなく、その技術的思想の範囲内において様々に変形して実施することができる。
【符号の説明】
【００７２】
１００：記念日自動対応システム
１０：携帯端末装置
２０：サービス提供サーバ
３０：ＥＣサイトサーバ
４０：インターネット
５０、５０−１、５０−２、５０−ｎ：ＥＣサイトサーバ
１１０：無線通信部
１２０：表示部
１３０：操作部
１４０：記憶部
１４１：電話帳テーブル
１４２：記念日情報格納テーブル
１５０：制御部
１５１：時刻取得手段
１５２：比較手段
１５３：自動メール手段
１５４：表示制御手段
１５５：発注制御手段
１５６：報知手段
【図１】
0005397194.tif 000002
【図２】
0005397194.tif 000003
【図３】
0005397194.tif 000004
【図４】
0005397194.tif 000005
【図５】
0005397194.tif 000006
【図６】
0005397194.tif 000007
【図７】
0005397194.tif 000008
【図８】
0005397194.tif 000009